(57)【要約】【課題】遊技中は操作ハンドルを持ったまま手を指置きによって休めることができるだけでなく、パチンコ遊技を再開する場合に操作ハンドルの好みの位置への戻し回転を直ちに行える発射ハンドル装置を提供すること。【解決手段】遊技者によって回転操作され、この回転操作がされないときは原位置に復帰回転する操作ハンドルを備えたパチンコ遊技機であって、パチンコ遊技機の本体に取り付けた筒状部に前記操作ハンドルを回転可能に取り付けるとともに、前記筒状部に、前記操作ハンドルの回転方向へ移動可能な指置き部材を組み付けたこと。【選択図】図５
2020179310.tif 000002
【特許請求の範囲】
【請求項１】
遊技者によって回転操作され、この回転操作がされないときは原位置に復帰回転する操作ハンドルを備えたパチンコ遊技機であって、
前記パチンコ遊技機の本体に前記操作ハンドルが回転可能に取り付けられるとともに、前記操作ハンドルの回転方向へ移動可能な指置き部材が、所定の位置に停止可能な大きさの摩擦力が発生する状態にて組み付けられ、
前記操作ハンドルには、当該操作ハンドルが回転する場合に前記指置き部材の一部に係合して前記指置き部材を回転させる指置き連動部が設けられ、
前記操作ハンドルを前記原位置から一方側に回転させる場合には前記指置き部材が前記操作ハンドルに連動して前記一方側に回動し、
前記操作ハンドルを前記原位置に戻す逆方向側に回転させる場合には、前記指置き部材が前記操作ハンドルに連動することなく前記摩擦力により停止状態とされ、前記操作ハンドルが前記原位置側に戻るように構成されていることを特徴とするパチンコ遊技機。
【発明の詳細な説明】
【技術分野】
【０００１】
本発明は、パチンコ遊技機に関し、特に、一方向に付勢された操作ハンドルの回転角度に応じて打球強度を調整せしめるパチンコ遊技機に関するものである。
【背景技術】
【０００２】
パチンコ遊技機においては、図１及び図２に示すように、パチンコ球の遊技領域内への打ち込み操作を行う操作ハンドルが設けてあり、遊技者は、この操作ハンドルを操作してパチンコ遊技を楽しむものである。近年の操作ハンドルは、これ自体がタッチスイッチになっていて、遊技者がこれを手で掴むと、パチンコ球の発射可能状態が形成されるようになっているだけでなく、この操作ハンドルの回転量を操作量検出装置によって検出し、パチンコ球の打球強度を遊技者が操作ハンドルの回転量を調整することによって行えるようになっている。
【０００３】
また、この操作ハンドルは、遊技者が手を離せば、自動的に、つまりスプリング等によって原位置に復帰するようにしてある。換言すれば、この操作ハンドルを回動させてパチンコ遊技を行うには、遊技者は、スプリング等の付勢力に抗した力を掛けて操作ハンドルを回動させなければならないことは当然として、パチンコ遊技中は、遊技者が選択した打球強度を維持するために、スプリング等の付勢力に抗した力をそのまま掛け続けなければならない。
【０００４】
このように、遊戯中に操作ハンドルを所定位置に維持するのは疲れ易いため、例えば特許文献１や特許文献２にて提案されているような種々な機構が採用されてきている。
【先行技術文献】
【特許文献】
【０００５】
【特許文献１】特許第３６５６７２２号掲載公報
【特許文献２】特開２００５−１２５００６号公報
【発明の概要】
【発明が解決しようとする課題】
【０００６】
しかしながら、操作ハンドルにおいて、内部機構が複雑で、操作ハンドルの外形が大きくなると、女性のように手の小さい人には、持つことそれ自体で疲れてしまう。
【０００７】
また、パチンコ遊技中において、遊技者は、操作ハンドルの位置が変化しないように、かつストップボタンには触れないように操作ハンドルを持っていなければならないことになって、手を休めることができないものとなっている。
【０００８】
本発明の目的とするところは、例えば、遊技中は操作ハンドルを持ったまま手を休めることができ、パチンコ遊技を再開する場合に、遊技者による操作ハンドルの好みの位置への戻し回転を容易に行えるパチンコ遊技機を提供することである。
【課題を解決するための手段】
【０００９】
請求項１記載の遊技機は、
遊技者によって回転操作され、この回転操作がされないときは原位置に復帰回転する操作ハンドルを備えたパチンコ遊技機であって、
前記パチンコ遊技機の本体に前記操作ハンドルが回転可能に取り付けられるとともに、前記操作ハンドルの回転方向へ移動可能な指置き部材が、所定の位置に停止可能な大きさの摩擦力が発生する状態にて組み付けられ、
前記操作ハンドルには、当該操作ハンドルが回転する場合に前記指置き部材の一部に係合して前記指置き部材を回転させる指置き連動部が設けられ、
前記操作ハンドルを前記原位置から一方側に回転させる場合には前記指置き部材が前記操作ハンドルに連動して前記一方側に回動し、
前記操作ハンドルを前記原位置に戻す逆方向側に回転させる場合には、前記指置き部材が前記操作ハンドルに連動することなく前記摩擦力により停止状態とされ、前記操作ハンドルが前記原位置側に戻るように構成されていることを特徴とする。
【発明の効果】
【００１０】
本発明によれば、遊技中は操作ハンドルを持ったまま手を休めることができ、パチンコ遊技を再開する場合に、遊技者による操作ハンドルの好みの位置への戻し回転を容易に行えるパチンコ遊技機を提供することができる。
【図面の簡単な説明】
【００１１】
【図１】本発明に係る発射ハンドル装置を採用したパチンコ遊技機本体の正面図である。
【図２】同本体の斜視図である。
【図３】本発明に係る発射ハンドル装置の右側からみた斜視図である。
【図４】同発射ハンドル装置の左側からみた斜視図である。
【図５】同発射ハンドル装置を示すもので、（ａ）はその後方からみた斜視図、（ｂ）は（ａ）中の１−１線で見た部分拡大断面図である。
【図６】同発射ハンドル装置の背面図である。
【図７】同発射ハンドル装置の背面側からみた分解斜視図である。
【図８】同発射ハンドル装置を構成している筒状部内に挿入して組み付けられる部品の背面図である。
【図９】同部品の正面図である。
【図１０】同部品の右側面図である。
【図１１】同部品の左側面図である。
【図１２】同部品の背側面図である。
【図１３】同部品の平面図である。
【図１４】同部品の右側正面からみた斜視図である。
【図１５】同部品の左側正面からみた斜視図である。
【図１６】同部品の左側背面からみた斜視図である。
【図１７】同部品の右側背面からみた斜視図である。
【図１８】本発明の実施例２に係る発射ハンドル装置の背面側からみた斜視図である。
【図１９】同発射ハンドル装置の図１８とは反対側からみた斜視図である。
【図２０】同発射ハンドル装置の正面側からみた分解斜視図である。
【図２１】同発射ハンドル装置の背面図である。
【図２２】同発射ハンドル装置をパチンコ機の本体に取り付けたときの部分断面図である。
【図２３】同発射ハンドル装置の左側側面図である。
【図２４】同発射ハンドル装置をパチンコ機の本体に図２２とは異なった方法で取り付けたときの部分断面図である。
【図２５】同発射ハンドル装置の底面図である。
【図２６】同発射ハンドル装置を構成している筒状部と、その中に挿入して組み付けられる部品を示すもので、（ａ）は抵抗力調整部が取付アーム部に当接していない場合の部分横断平面図、（ｂ）は抵抗力調整部が取付アーム部に当接している場合の部分横断平面図である。
【図２７】同発射ハンドル装置を構成している筒状部内に挿入して組み付けられる部品を示すもので、（ａ）は抵抗力調整部が取付アーム部に当接していない場合の背面図、（ｂ）は抵抗力調整部が取付アーム部に当接している場合の背面図である。
【図２８】同発射ハンドル装置を構成している筒状部内に挿入して組み付けられる部品を示すもので、（ａ）は抵抗力調整部が取付アーム部に当接していない場合の平面図、（ｂ）は抵抗力調整部が取付アーム部に当接している場合の平面図である。
【図２９】同発射ハンドル装置を構成している筒状部内に挿入して組み付けられる部品を示すもので、（ａ）は抵抗力調整部が取付アーム部に当接していない場合の左側面図、（ｂ）は抵抗力調整部が取付アーム部に当接している場合の左側面図である。
【図３０】同発射ハンドル装置を構成している筒状部内に挿入して組み付けられる部品を示すもので、（ａ）は抵抗力調整部が取付アーム部に当接していない場合の右側面図、（ｂ）は抵抗力調整部が取付アーム部に当接している場合の右側面図である。
【図３１】同発射ハンドル装置を構成している筒状部内に挿入して組み付けられる部品を示すもので、（ａ）は抵抗力調整部が取付アーム部に当接していない場合の底面図、（ｂ）は抵抗力調整部が取付アーム部に当接している場合の底面図である。
【図３２】同発射ハンドル装置を構成している筒状部内に挿入して組み付けられる部品を示すもので、（ａ）は抵抗力調整部が取付アーム部に当接していない場合の斜視図、（ｂ）は抵抗力調整部が取付アーム部に当接している場合の斜視図である。
【図３３】同発射ハンドル装置を構成している筒状部内に挿入して組み付けられる部品を図３２とは反対側から見て示すもので、（ａ）は抵抗力調整部が取付アーム部に当接していない場合の斜視図、（ｂ）は抵抗力調整部が取付アーム部に当接している場合の斜視図である。
【図３４】同発射ハンドル装置を構成している筒状部内に挿入して組み付けられる部品を背面から見て示すもので、（ａ）は抵抗力調整部が取付アーム部に当接していない場合の斜視図、（ｂ）は抵抗力調整部が取付アーム部に当接している場合の斜視図である。
【図３５】同発射ハンドル装置を構成している筒状部内に挿入して組み付けられる部品を図３４とは反対側から見て示すもので、（ａ）は抵抗力調整部が取付アーム部に当接していない場合の斜視図、（ｂ）は抵抗力調整部が取付アーム部に当接している場合の斜視図である。
【発明を実施するための最良の形態】
【００１２】
以下に、各発明を、様々な「場合」や「タイミング」に分けて説明するが、これらの「場合」や「タイミング」を次のように定義する。「場合」は、指置き部材と操作ハンドルとの連動関係の違いを説明するもので、「第１の場合」は、指置き部材が操作ハンドルとは連動せずに独立的に回転する場合であって、「第２の場合」は、指置き部材が操作ハンドルと連動して回転する場合をいう。
【００１３】
一方、「タイミング」は、抵抗力調整装置による抵抗力付与タイミングが何時かによって分けるものであり、「第１タイミング」は、操作ハンドルを回転させて好みの位置になったときに操作ハンドル固定のために抵抗力調整装置が働く場合をいい、「第２タイミング」は、操作ハンドルに従来の操作ハンドルとは別の抵抗力をほぼ常時発生させるようにしておいて、操作ハンドルを原位置に復帰させるタイミング、すなわち、遊技者が操作ハンドルから手を離した後の一定期間に限って抵抗力が無くなる場合をいう。
【００１４】
さて、上述した課題を解決するために、まず、発明１の採った手段は、
「遊技者によって回転操作され、この回転操作がされないときは原位置に復帰回転する操作ハンドルを備えたパチンコ遊技機用の発射ハンドル装置であって、
前記パチンコ遊技機の本体に取り付けた筒状部に前記操作ハンドルを回転可能に取り付けるとともに、前記操作ハンドルの回転方向へ移動可能な指置き部材を組み付けたことを特徴とする発射ハンドル装置」である。
【００１５】
すなわち、この発明１に係る発射ハンドル装置は、遊技者によって回転操作され、遊技者がパチンコ遊技をしていないときには原位置に復帰する操作ハンドルと、この操作ハンドルの回転方向へ移動可能な指置き部材とを備えたものである。この指置き部材は、前記パチンコ遊技機の本体に取り付けた筒状部またはこれとは別の案内部に組み付けたものでもよい。この場合、筒状部は、当該パチンコ遊技機の前面にて突出した状態で、パチンコ遊技機を構成している本体に取り付けられるものであり、操作ハンドルを回転させても当該筒状部自体は回転しないものである。
【００１６】
なお、遊技者によって操作ハンドルが回転操作されると、この操作ハンドルの回転量が検出されて、パチンコ球の打球強度が調整されるようになっている。後述する最良形態の操作ハンドルでは、その回転量を大きくすれば、打球強度も大きくなるようにしてある。
【００１７】
さて、この発明１に係る発射ハンドル装置において、前記指置き部材が操作ハンドルの回転方向へ移動可能とは、この指置き部材に何らかの力を加えれば移動できる状態になっていることを意味し、逆に、この指置き部材に何等の力も加えなければその位置に留めておくことができる状態になっていることを意味している。具体的には、この指置き部材と、前記筒状部、またはこの筒状部とは別に当該発射ハンドル装置に形成された前記案内部との間に、例えば摩擦力が発生するように、前記指置き部材を前記筒状部または案内部に組み付けることによって実現される。
【００１８】
一方、この指置き部材は、操作ハンドルが手を離せば原位置に復帰するのとは異なって、遊技者が原位置から好みの位置にまで移動させるたとき、例えば摩擦力が作用して原位置には復帰回転しないのである。さらに言えば、この指置き部材は、遊技者が好みの位置にまで自由に移動させることができるが、移動させた場所で停止したままの状態になるのである。
【００１９】
この指置き部材を動かすに当たっては、当該指置き部材を遊技者が直接手指で動かす場合（第１の場合）は勿論、例えば、操作ハンドルとある一定の範囲で連動するようにしておいた指置き部材を遊技者が回転させた操作ハンドルと連動させて動かす場合（第２の場合）も含むものである。
【００２０】
ここで、この発射ハンドル装置を使用するには、遊技者が、上記操作ハンドルを好みの打球強度となる位置に回転させるのであるが、上記第１の場合では、遊技者が指置き部材を、好みの指、例えば親指か人差し指を支えられる位置まで回動させるのであり、上記第２の場合には、指置き部材が操作ハンドルの回転に連動して一定の範囲まで回動してくるから、その位置が気に入らなければ遊技者は当該指置き部材を好みの位置まで僅かに回転させるのである。以上の結果、好みの打球強度位置にした操作ハンドルを持った手の指を指置き部材に置くだけで、この指置き部材で操作ハンドルを持った手を支えさせることができるから、遊技者は、安楽な状態でパチンコ遊技が行えるだけでなく、指置き部材はこれを積極的に動かしたとき以上の力を掛けないと回転（移動）しないから、例えば遊技者が操作ハンドルを持ったまま姿勢を変えたとしても、操作ハンドルの好みの位置が不用意に変化することもない。
【００２１】
また、当該遊技者が何かの用で当該パチンコ遊技機での遊技を止め、用を済ませて再び当該パチンコ遊技機での遊技を始めようとする場合を想定してみると、まず、操作ハンドルから手を離してパチンコ遊技を止めたときには、操作ハンドルは原位置に復帰回転する。ここで、上記第１の場合には、指置き部材は当該遊技者が合わせた位置に残留したままで変化しないし、第２の場合には、操作ハンドルの戻りとともに指置き部材も戻る場合と、指置き部材を残したまま操作ハンドルだけが戻る場合とがある。
【００２２】
次に、用を済ませた遊技者が再び当該パチンコ遊技機で遊技を始める場合には、操作ハンドルを手で持って回転させるのであるが、上記第１の場合には、先ほど指置き部材に当接させていた指が、位置が変化していない指置き部材に当接するまで操作ハンドルを回転させればよいのである。これにより、遊技者は、操作ハンドルの好みの位置を探すことなく、先ほど設定した好みの位置で直ちに操作ハンドルを持つことができ、かつ指置き部材で手を休めることができるから、パチンコ遊技を安楽な状態で続行できることになる。
【００２３】
以上の指置き部材で手を休める場合、特に「親指」をこの指置き部材に掛けると非常に有効である。この親指以外の指は、主として操作ハンドルを包み込んで持つために使用され、その時に、親指の先端部は真っ直ぐ延びた状態にあって、指置き部材上に掛け易い状態になっているからである。逆に言えば、親指を当該指置き部材に置いたとき、遊技者の手は自然な状態になるのである。
【００２４】
上記の指置き部材で手を休める態様は、他にも次のようなものがある。例えば、指を前記指置き部材に当てたり、指を前記指置き部材に引っかけたりすることは勿論、前記操作ハンドルそれ自体に形成してある突起を、前記指置き部材とともに指で挟み込む等である。
【００２５】
勿論、上記第２の場合には、戻って来た遊技者が遊技ハンドルを好みの位置まで回転させれば、上述したように、回転された操作ハンドルに連動して指置き部材が好みの位置に回転されるか、あるいは僅かな位置調整をすればよく、遊技者は、先ほど設定した好みの位置で指置き部材に指を置いて手を休めることができるから、パチンコ遊技を安楽な状態で続行できることになる。
【００２６】
さらに、指置き部材は、前記操作ハンドルの回転方向へ移動可能である条件を満たせば、例えば前記筒状部または案内部に組み付けるだけで上記機能を発揮するものであるから、非常に簡単な構造のものとすることが可能になっている。このことは、手を休めることができて、しかも好みの位置に操作ハンドルを直ちに持って来られる、という機能を有する指置き部材を、発射ハンドル装置全体のコストをそれ程増大させることなく採用できることを意味し、結果として、機能が増加できる割りにはパチンコ遊技機全体のコスト増大が抑制できることをも意味している。
【００２７】
従って、この発明１に係る発射ハンドル装置によれば、遊技中は操作ハンドルを持ったまま指置き部材によって手を休めることができるのであり、パチンコ遊技の再開時には操作ハンドルの好みの位置への調整が直ちに行えるものとなっているのである。
【００２８】
上記課題を解決するために、発明２の採った手段は、上記発明１として記載の発射ハンドル装置について、
「前記パチンコ遊技機の本体に取り付けた筒状部に前記操作ハンドルを回転可能に組み付け、前記筒状部内に、少なくとも、前記操作ハンドルの回転量に応じて打球強度を調整する操作量検出装置と、一定量回転させた前記操作ハンドルに復帰回転方向に対する抵抗力を付与する抵抗力調整装置とを収納したこと」である。
【００２９】
すなわち、この発明２に係る発射ハンドル装置では、前記筒状部内に、少なくとも、前記操作量検出装置と、一定量回転させた前記操作ハンドルに復帰回転方向に対する抵抗力を付与する抵抗力調整装置とが収納してある。前記操作量検出装置は、操作ハンドルの回転量を検出して、打球装置における打球強度を調整するものであり、操作ハンドルを少しずつ回転していくことによって、遊技者は好みの打球強度位置を操作ハンドルの回転位置によって決定することができるようにするものである。
【００３０】
また、抵抗力調整装置は、原位置に復帰回転するように付勢されている操作ハンドルに抵抗力を付与するものであるが、この付与タイミングには、第１と第２の二種類がある。第１タイミングは、操作ハンドルを回転させて好みの位置になったときに、当該抵抗力調整装置によって、操作ハンドルに抵抗力を付与するようにするものである。一方、第２タイミングは、操作ハンドルに、従来の操作ハンドルとは別の抵抗力をほぼ常時発生させるようにしておいて、操作ハンドルを原位置に復帰させるタイミング、すなわち、遊技者が操作ハンドルから手を離した後の一定期間に限って、当該抵抗力調整装置による抵抗力が無くなるようにするものである。
【００３１】
さて、この抵抗力調整装置は、第１タイミングで制御されるものの場合、操作ハンドルを一定量回転させたとき、換言すれば遊技者の好みの位置まで前記操作ハンドルを回転させたときに、当該操作ハンドルにその復帰回転方向に対する抵抗力を付与するのである。つまり、当該発射ハンドル装置が前記抵抗力調整装置を有していることによって、遊技者が好みの位置まで前記操作ハンドルを回転させたときに、当該操作ハンドルにはその復帰回転方向に対する抵抗力がこの抵抗力調整装置によって付与されるから、当該操作ハンドルは、その位置で停止したままの状態になるのである。
【００３２】
以上の結果、この第１タイミングで制御されている抵抗力調整装置を有した発射ハンドル装置では、遊技者が操作ハンドルを好みの位置まで回転させたときに、指置き部材によって手を休めることができることは当然として、抵抗力調整装置によって、当該操作ハンドルにはその復帰回転方向に対する抵抗力が付与されるのである。このため、遊技者は、当該操作ハンドルをその好みの位置で停止させることができて、例えば指一本を当該操作ハンドルに掛けたまま指置き部材で休めながらパチンコ遊技を続行することができるのである。
【００３３】
一方、この抵抗力調整装置が上記第２タイミングで制御されるものの場合、操作ハンドルには、従来の操作ハンドルとは別の抵抗力がほぼ常時発生していて、操作ハンドルを原位置に復帰させるタイミング、すなわち、遊技者が操作ハンドルから手を離した後の一定期間に限って抵抗力が無くなるように、当該抵抗力調整装置が作動するようになっている。つまり、当該発射ハンドル装置が前記第２タイミングで制御される抵抗力調整装置を有していることによって、遊技者が好みの位置まで前記操作ハンドルを回転させるときは勿論、当該操作ハンドルが回転されていった位置においても抵抗力が発生しているから、当該操作ハンドルは回転された位置で停止したままの状態になるのである。
【００３４】
以上の結果、この第２タイミングで制御されている抵抗力調整装置を有した発射ハンドル装置では、遊技者が操作ハンドルを好みの位置まで回転させたときに、指置き部材によって手を休めることができることは当然として、抵抗力調整装置によって、当該操作ハンドルにはその復帰回転方向に対する抵抗力が付与されるのである。このため、遊技者は、当該操作ハンドルをその好みの位置で停止させることができて、例えば指一本を当該操作ハンドルに掛けたまま指置き部材で休めながらパチンコ遊技を続行することができるのである。
【００３５】
勿論、この第２タイミングで制御されている抵抗力調整装置を有した発射ハンドル装置では、遊技者が操作ハンドルから手を離した後の一定期間に限って抵抗力調整装置による抵抗力が無くなるようになっているから、操作ハンドルは、その本来有している原位置復帰回転力によって、遊技者が操作ハンドルから手を離した後に原位置に復帰するのである。
【００３６】
そして、この発明２に係る発射ハンドル装置では、前記筒状部内に、少なくとも、前記操作量検出装置と、一定量回転させた前記操作ハンドルに復帰回転方向に対する抵抗力を
付与する抵抗力調整装置とが収納してある。これによって、この筒状部に回転可能に組み付けた操作ハンドルの大きさや形状を抵抗力調整装置の存在に影響を受けることなく決定できるのであり、操作ハンドルの設計の自由度を向上させ得るのである。換言すれば、本発明に係る発射ハンドル装置が、その抵抗力調整装置を筒状部内に収納するようにしたことによって、抵抗力調整装置があっても、操作ハンドルを小型化することができるのであり、女性のような手の小さい人でも、操作が容易な操作ハンドルとし得るのである。
【００３７】
さらに、この発明２に係る発射ハンドル装置は、前記筒状部内に、少なくとも、前記操作量検出装置と、抵抗力調整装置とを収納したから、当該発射ハンドル装置自体が単体化されているのである。
【００３８】
従って、この発明２の発射ハンドル装置は、上記発明１に係るそれと同様な機能を発揮する他、抵抗力調整装置によって当該操作ハンドルにその復帰回転方向に対する抵抗力を付与することができ、操作ハンドルの設計の自由度を上げ得るものとなっている。それだけでなく、この発明２の発射ハンドル装置は、一個の独立した部品として構成されてもいるから、取付容易で低コストのものとなっているのである。
【００３９】
また、発明３の採った手段は、上記発明２として記載の発射ハンドル装置について、
「前記抵抗力調整装置は、駆動源と、この駆動源からの駆動力を受けて前記操作ハンドル側との間の前記抵抗力の発生調整を行う抵抗力調整部とを備え、この抵抗力調整部と前記抵抗力調整装置との間に、抵抗力増幅機構を設けたこと」である。
【００４０】
すなわち、この発明３の発射ハンドル装置は、まず、前記抵抗力調整装置が、駆動源と、この駆動源からの駆動力を受けて前記操作ハンドル側との間の前記抵抗力の発生調整を行う抵抗力調整部とを備えているのであるから、前記駆動源の駆動力の掛け方を選択することによって、前記操作ハンドルへの抵抗力付与の二種類の仕方（先述した第１のタイミングまたは第２のタイミング）を容易に実現できる。
【００４１】
上記第１のタイミングで前記抵抗力調整装置を作動するようにした場合には、遊技者が好みの位置まで操作ハンドルを回転させた場合、当該操作ハンドルが本来有している原位置への復帰力に抗した抵抗力が抵抗力調整装置によって発生するのである。このため、遊技者が例えば指一本で操作ハンドルに触れているだけであっても、つまり操作ハンドルを握って力を掛けていなくても、当該操作ハンドルは原位置に復帰することはなく、操作ハンドルを好みの回動位置に保持したまま遊技を続けることができることになる。
【００４２】
一方、上記第２のタイミングで前記抵抗力調整装置を作動するようにした場合、つまり、操作ハンドルに従来の操作ハンドルとは別の抵抗力がほぼ常時発生させてあって、操作ハンドルを原位置に復帰させるタイミング、すなわち、遊技者が操作ハンドルから手を離した後の一定期間に限って抵抗力が無くなるように駆動源を作動させる場合には、遊技者が好みの位置まで操作ハンドルを回転させる際に、当該操作ハンドルが本来有している原位置への復帰力より大きな反対の抵抗力（例えば機械的摩擦力、あるいは磁力）が、前記抵抗力調整装置の抵抗力調整部によって操作ハンドル側との間に発生されるのである。このため、操作ハンドルが遊技者の好みに位置まで回動されたときにも上記抵抗力が発生しているから、遊技者が例えば指一本で操作ハンドルに触れているだけであっても、つまり操作ハンドルを握って力を掛けていなくても、当該操作ハンドルは原位置に復帰することはなく、操作ハンドルを好みの回動位置に保持したまま遊技を続けることができることになる。
【００４３】
そして、この第２のタイミングで上記抵抗力調整装置が作動する場合には、遊技者が操作ハンドルから手を離した後の一定期間に限って、前記抵抗力調整装置においてその駆動
源が作動し、この駆動源からの駆動力を受けた抵抗力調整部が前記操作ハンドルから退避して、操作ハンドル側との間に発生させていた前記抵抗力を消滅させるのである。以上の結果、操作ハンドルが本来有していた原位置への復帰回転力によって、遊技者が手を離した操作ハンドルは、上記一定時間内に原位置に自動的に復帰するのである。
【００４４】
以上、何れのタイミングの場合でも、上記駆動源としては、後述する最良形態では、所謂「ソレノイド」を採用しているが、モータを採用して実施してもよい。
【００４５】
また、この発明３の発射ハンドル装置においては、上記抵抗力調整部と前記抵抗力調整装置との間に、抵抗力増幅機構が設けてあるから、抵抗力調整装置の駆動源からの駆動力を上記抵抗力調整部に増幅して伝達することができる。逆に言えば、この抵抗力増幅機構を存在させたことによって、駆動源を小型のものにしても十分な抵抗力を発生させることができるのである。
【００４６】
従って、この発明３の発射ハンドル装置は、上記発明２のそれと同様な機能を発揮する他、操作ハンドルの回動位置を軽い力でも保持することができて、操作ハンドルの操作性を良好なものとするだけでなく、抵抗力増幅機構の存在によって、駆動源を小型のものとしても十分な抵抗力を発生することができるものとなっているのである。
【００４７】
さらに、発明４の採った手段は、上記発明３として記載の発射ハンドル装置について、
「前記抵抗力調整部の、前記操作ハンドル側との当接面に弾性体を配置したこと」である。
【００４８】
すなわち、この発明４に係る発射ハンドル装置では、前記抵抗力調整部の、前記操作ハンドル側との当接面に弾性体を配置したものであり、この弾性体によって、前記抵抗力調整部が前記操作ハンドル側に当接したときの衝撃が和らげられるのである。
【００４９】
換言すれば、この発明４の発射ハンドル装置では、前記抵抗力調整装置によって抵抗力調整部が急激に操作ハンドル側に当接したとしても、その際の衝撃が弾性体によって吸収されるため、操作ハンドルを握っているパチンコの遊技者に違和感を与えることがないだけでなく、上述した抵抗力調整装置及び抵抗力増幅機構の各部が保護されることにもなるのである。
【００５０】
この弾性体の材料としては、例えば合成ゴム等のゴムや樹脂があり、これらの材料によって形成した弾性体の上記摩擦抵抗によって、抵抗力調整部の抵抗力をより一層増大させることができるのである。
【００５１】
従って、この発明４に係る発射ハンドル装置は、上記発明３のそれと同様な機能を発揮する他、その弾性体によって、抵抗力調整部及び抵抗力増幅機構の各部の保護を行えるものとなっているのである。
【００５２】
以上の課題を解決するために、発明５の採った手段は、
「遊技者によって回転操作され、この回転操作がされないときは原位置に復帰回転する操作ハンドルを備えたパチンコ遊技機用の発射ハンドル装置であって、
前記パチンコ遊技機の本体に取り付けた筒状部に前記操作ハンドルを回転可能に取り付けるとともに、前記操作ハンドルの回転方向へ移動可能で、前記筒状部内に延在する取付アーム部を有した指置き部材を組み付け、さらに、前記指置き部材の前記取付アーム部の内端部を前記筒状部内側に組み付けたことを特徴とする発射ハンドル装置」である。
【００５３】
すなわち、この発明５に係る発射ハンドル装置は、前記パチンコ遊技機の本体に取り付
けた筒状部に前記操作ハンドルを回転可能に取り付けるとともに、前記操作ハンドルの回転方向へ移動可能な指置き部材を設けたものである点は上記発明１のそれと同様であるが、この指置き部材が前記筒状部内に延在する取付アーム部を有した点が、上記発明１のそれと異なるものである。
【００５４】
従って、この発明５における指置き部材や操作ハンドルの機能は、上記発明１のそれと同様であり、これらの指置き部材や操作ハンドルの機能説明は省略し、前記指置き部材が前記筒状部内に延在する取付アーム部を有したことによって得られる機能を中心に説明する。
【００５５】
この発明５に係る発射ハンドル装置では、前記指置き部材を組み付けるにあたって、前記取付アーム部の内端部を前記筒状部内側に組み付けるようにしている。「前記筒状部の内側に組み付ける」とは、この発明５に係る発射ハンドル装置での指置き部材の組み付け方が、前記発明１の発射ハンドル装置におけるそれとは異なっていることを意味し、指置き部材の組み付けは、前記筒状部の内側にまで延在している取付アーム部を介して行うことを意味しているのである。
【００５６】
この取付アーム部の、前記筒状部の内側への組み付けは、種々な手段によって行えるものである。例えば、後述する最良形態におけるように、操作ハンドルの回転中心であるハンドル軸にこの取付アーム部の先端部を取り付けるようにしてもよいし、筒状部内に配置した操作量検出装置等の支持台に取付アーム部の先端部を取り付けるようにしてもよい。
【００５７】
以上のように、前記指置き部材の取付アーム部の内端部を前記筒状部内側に組み付けることによって、この指置き部材の前記筒状部に対する主な組み付け部分が筒状部材内に位置することになるから、前記指掛け部材は、当該発射ハンドル装置の外からは容易に外せないものとなっているのである。
【００５８】
また、上記筒状部内には、前記操作ハンドルの回転方向へ移動可能な指置き部材の取付アーム部の内端部が組み付けられる。さらに、この指置き部材は、上記発明１に係るそれと同様に、遊技者が前記筒状部に対して好みの位置に自由に移動させることができたり（第１の場合）、操作ハンドルの回動と連動して回動する（第２の場合）のであり、移動させた場所で当該指置き部材を停止したままの状態にしておくことができるのである。
【００５９】
ここで、遊技者が、上記操作ハンドルを好みの打球強度となる位置に回転させるとともに、指置き部材については、好みの指、例えば親指か人差し指を支えられる位置まで回動させる（第１の場合）か、操作ハンドルとともに連動させり（第２の場合）と、遊技者は、好みの打球強度位置にある操作ハンドルを持った手を指置き部材で支えさせることができて、安楽な状態でパチンコ遊技が行えるだけでなく、操作ハンドルは、遊技者の好みの位置から不用意に変化してしまうこともなくなるのである。
【００６０】
また、当該遊技者が何かの用で当該パチンコ遊技機での遊技を止め、用を済ませて再び当該パチンコ遊技機での遊技を始めようとする場合を想定してみると、まず、操作ハンドルから手を離してパチンコ遊技を止めたときには、操作ハンドルが原位置に復帰回転し、指置き部材は当該遊技者が合わせた位置に残留したままで、変化しない（第１のタイミング及び第１の場合）。あるいは、操作ハンドルは、一定の時間経過後の短時間内に原位置へ復帰回転し（第２のタイミング）、第２の場合には、指置き部材は操作ハンドルとともに復帰回転する。
【００６１】
次に、用を済ませた遊技者が再び当該パチンコ遊技機で遊技を始める場合には、操作ハンドルを手で持って回転させるのであるが、第１のタイミングの場合には、先ほど指置き
部材に当接させていた指が、位置が変化していない指置き部材に当接するまで操作ハンドルを回転させればよいのである。これにより、遊技者は、操作ハンドルの好みの位置を探すことなく、先ほど設定した好みの位置で直ちに操作ハンドルを持つことができ、かつ指置き部材で手を休めることができるから、パチンコ遊技を安楽な状態で続行できることになる。なお、操作ハンドルは、一般的に、各指が掛け易くなるような形状にしてあり、この形状も変化しないのであるから、遊技者が操作ハンドルを持つ位置は殆ど一定である。
【００６２】
第２のタイミングの場合には、前記指置き部材は、操作ハンドルの好みの位置までの回動に連動して、好みの位置まで自動的に回動する。これにより、遊技者は、操作ハンドルの好みの位置を探すことなく、好みの位置で直ちに操作ハンドルを持つことができ、かつ指置き部材で手を休めることができるから、パチンコ遊技を安楽な状態で続行できることになる。
【００６３】
さらに、指置き部材は、前記操作ハンドルの回転方向へ移動可能である条件を満たせば、前記筒状部に組み付けるだけで上記機能を発揮するものであるから、非常に簡単な構造のものとすることが可能になっている。このことは、手を休めることができて、しかも好みの位置に操作ハンドルを直ちに持って来られる、という機能を有する指置き部材を、発射ハンドル装置全体のコストをそれ程増大させることなく採用できることを意味し、結果として、機能が増加できる割りにはパチンコ遊技機全体のコスト増大が抑制できることをも意味している。
【００６４】
従って、この発明５に係る発射ハンドル装置によれば、遊技中は操作ハンドルを持ったまま指置き部材によって手を休めることができるのであり、パチンコ遊技の再開時には操作ハンドルの好みの位置への調整が直ちに行えるものとなっているだけでなく、前記指掛け部材が、当該発射ハンドル装置の外からは容易に外せないものとなっているのである。
【００６５】
次に、上記課題を解決するために、発明６の採った手段は、上記発明５のそれについて、
「前記操作ハンドルを回転可能に組み付けた筒状部内に、少なくとも、前記操作ハンドルの回転量に応じて打球強度を調整する操作量検出装置と、前記取付アーム部に抵抗力を付与する抵抗力調整装置とを収納したこと」である。
【００６６】
すなわち、この発明６として記載の発射ハンドル装置では、前記操作ハンドルを回転可能に組み付けた筒状部内に、前記操作ハンドルの操作量検出装置と、前記取付アーム部に抵抗力の付与調整を行う抵抗力調整装置とを収納したものである。
【００６７】
この発明６に係る発射ハンドル装置では、前記筒状部内に収納した前記操作量検出装置が、前記操作ハンドルの回転量を検出して、打球装置における打球強度を調整するものであることは、上述した発明２に係るそれと同様であるが、前記筒状部内に収納した抵抗力調整装置による機能が、上述した発明２に係るそれと異なっている。
【００６８】
つまり、この発明６に係る発射ハンドル装置では、前記抵抗力調整装置は、前記取付アーム部に対する抵抗力の付与調整を行うのである。つまり、当該発射ハンドル装置の前記抵抗力調整装置は、上記第１タイミングの場合には、遊技者が好みの位置まで前記操作ハンドルを回転させたときに、当該操作ハンドルの復帰回転方向に対する抵抗力を前記取付アーム部に付与するようにしているのであり、上記第２タイミングの場合には、遊技者が好みの位置まで前記操作ハンドルを回転させる間、及び好みの位置で停止させた後も、当該操作ハンドルに抵抗力を前記取付アーム部に付与するようにしているのである。
【００６９】
後述する最良形態では、抵抗力がこの抵抗力調整装置によって前記取付アーム部に付与
されていれば、この取付アーム部は他に力が加えられなければ、その位置から回動しない。また、後述する最良形態のように、この取付アーム部の内端側が前記操作ハンドル側（例えばハンドル軸）に組み付けられていれば、結果的に当該操作ハンドルにもその復帰回転方向に対する抵抗力が取付アーム部を介して付与され、当該操作ハンドルも、その位置にあるまま回動されない。
【００７０】
以上の結果、この発明６の発射ハンドル装置では、遊技者が操作ハンドルを好みの位置まで回転させたときに、指置き部材によって手を休めることができることは当然として、抵抗力調整装置によって前記取付アーム部に抵抗力が付与され、結果として当該操作ハンドルにはその復帰回転方向に対する抵抗力が付与されるのである。このため、遊技者は、当該操作ハンドルをその好みの位置で停止させることができて、例えば指一本を当該操作ハンドルに掛けたまま指置き部材で休めながらパチンコ遊技を続行することができるのである。
【００７１】
さらに、この発明６に係る発射ハンドル装置では、前記筒状部内に、少なくとも、前記操作量検出装置と、一定量回転させた前記操作ハンドルに復帰回転方向に対する抵抗力を付与する抵抗力調整装置とが収納してあるから、この筒状部に回転可能に組み付けた操作ハンドルの大きさや形状を抵抗力調整装置の存在に影響を受けることなく決定できるのであり、操作ハンドルの設計の自由度を向上させ得ることは、上記発明２に係る発射ハンドル装置と同様である。
【００７２】
従って、この発明６の発射ハンドル装置は、上記発明５に係るそれと同様な機能を発揮する他、抵抗力調整装置によって当該操作ハンドルにその復帰回転方向に対する抵抗力を付与することができ、操作ハンドルの設計の自由度を上げ得るものとなっている。それだけでなく、この発明６の発射ハンドル装置は、一個の部品化されてもいるから、取付容易で低コストのものとなっているのである。
【００７３】
また、発明７の採った手段は、上記発明５または発明６として記載のパチンコ遊技機の発射ハンドル装置について、
「前記抵抗力調整装置は、駆動源と、この駆動源からの駆動力を受けて前記取付アーム部との間の前記抵抗力の発生調整を行う抵抗力調整部とを備え、この抵抗力調整部と前記抵抗力調整装置との間に、抵抗力増幅機構を設けたこと」である。
【００７４】
すなわち、この発明７の発射ハンドル装置は、まず、その抵抗力調整装置が、駆動源と、この駆動源からの駆動力を受けて前記取付アーム部との間の前記抵抗力の発生調整を行う抵抗力調整部とを備えているのであるから、遊技者が好みの位置まで操作ハンドルを回転させた場合、当該操作ハンドルが本来有している原位置への復帰力に抗した抵抗力が、取付アーム部を介して抵抗力調整装置により発生されるのである。このため、遊技者が、例えば指置きに置いた指一本で操作ハンドルに触れているだけであっても、つまり操作ハンドルを握って力を掛けていなくても、当該操作ハンドルは、取付アーム部を介して付与される抵抗力によって原位置に復帰することはなく、指置き及び操作ハンドルを好みの回動位置に保持したまま遊技を続けることができることになる。
【００７５】
この場合、上記駆動源としては、後述する最良形態では、所謂「ソレノイド」を採用しているが、モータを採用して実施してもよい。勿論、この駆動源の作動タイミングとしては、上述した第１タイミングと第２タイミングとの二種類があることは、上記発明１〜４の発射ハンドル装置の場合と同様である。
【００７６】
また、この発明７の発射ハンドル装置においても、上記発明２に係るそれと同様に、前記抵抗力調整部と前記抵抗力調整装置との間に、抵抗力増幅機構が設けてあるから、抵抗
力調整装置の駆動源からの駆動力を上記抵抗力調整部に増幅して伝達することができる。逆に言えば、この抵抗力増幅機構を存在させたことによって、駆動源を小型のものにしても十分な抵抗力を発生させることができるのである。
【００７７】
従って、この発明７の発射ハンドル装置は、上記発明５または６のそれと同様な機能を発揮する他、操作ハンドルの回動位置を軽い力でも保持することができて、操作ハンドル及び指置きの操作性を良好なものとするだけでなく、抵抗力増幅機構の存在によって、駆動源を小型のものとしても十分な抵抗力を発生することができるものとなっているのである。
【００７８】
さらに、発明８に係る発明の採った手段は、上記発明７として記載の発射ハンドル装置について、
「前記抵抗力調整部の、前記取付アーム部との当接面に弾性体を配置したこと」である。
【００７９】
すなわち、この発明８に係る発射ハンドル装置では、前記抵抗力調整部の、前記取付アーム部との当接面に弾性体を配置したものであり、この弾性体によって、前記抵抗力調整部が前記取付アーム部に当接したときの衝撃が和らげられるのである。
【００８０】
換言すれば、この発明８の発射ハンドル装置では、前記抵抗力調整装置によって抵抗力調整部が急激に取付アーム部に当接したとしても、その際の衝撃が弾性体によって吸収されるため、操作ハンドルを握っているパチンコの遊技者の手や、指置きに置いている遊技者の指に違和感を与えることがないだけでなく、上述した抵抗力調整装置、抵抗力増幅機構、あるいは指置きと一体的な取付アーム部のハンドル軸に対する連結部の各部が保護されることにもなるのである。
【００８１】
この弾性体の材料としては、例えば合成ゴム等のゴムや樹脂があり、これらの材料によって形成した弾性体の上記摩擦抵抗によって、抵抗力調整部の抵抗力をより一層増大させることができるのである。
【００８２】
従って、この発明８に係る発射ハンドル装置は、上記発明７のそれと同様な機能を発揮する他、その弾性体によって、抵抗力調整装置、抵抗力増幅機構、あるいは指置きと一体的な取付アーム部のハンドル軸に対する連結部の各部の保護が行えるものとなっているのである。
【００８３】
以上、説明した通り、上記発明１〜８においては、
「遊技者によって回転操作され、この回転操作がされないときは原位置に復帰回転する操作ハンドルを備えたパチンコ遊技機用の発射ハンドル装置であって、
前記パチンコ遊技機の本体に前記操作ハンドルを回転可能に取り付けるとともに、前記操作ハンドルの回転方向へ移動可能な指置き部材を組み付けたこと」あるいは、
「遊技者によって回転操作され、この回転操作がされないときは原位置に復帰回転する操作ハンドルを備えたパチンコ遊技機用の発射ハンドル装置であって、
前記パチンコ遊技機の本体に取り付けた筒状部に前記操作ハンドルを回転可能に取り付けるとともに、前記操作ハンドルの回転方向へ移動可能で、前記筒状部内に延在する取付アーム部を有した指置き部材を組み付け、さらに、前記指置き部材の前記取付アーム部の内端部を前記筒状部内側に組み付けたこと」にその構成上の主たる特徴があり、これにより、遊技中は操作ハンドルを持ったまま手を休めることができるだけでなく、パチンコ遊技を再開する場合に、遊技者による操作ハンドルの好みの位置への戻し回転を直ちに行える発射ハンドル装置を提供することができ、また、パチンコ遊技機全体の低コスト化を図ることができ、しかも操作ハンドルの操作性もよい発射ハンドル装置を提供することがで
きるのである。
【００８４】
次に、以上のように構成した各発明を、図面に示した最良の形態である発射ハンドル装置１００について説明する。
【実施例】
【００８５】
図１〜図１７には発射ハンドル装置１００の第１実施例が、また図１８〜図３５には発射ハンドル装置１００の第２実施例がそれぞれ示してある。これら実施例１及び２の発射ハンドル装置１００は、上記請求項１に係る発明、発明１〜発明４、及び発明５〜発明８のそれぞれを含むものである。
【００８６】
また、これらの各実施例においても、様々な「場合」や「タイミング」に分けて説明しているが、これらの「場合」や「タイミング」を次のように定義する。「場合」は、指置き部材６０と操作ハンドル１０との連動関係の違いを説明するもので、「第１の場合」は、指置き部材６０が操作ハンドル１０とは連動せずに独立的に回転する場合であって、「第２の場合」は、指置き部材６０が操作ハンドル１０と連動して回転する場合をいう。
【００８７】
一方、「タイミング」は、抵抗力調整装置４０による抵抗力付与タイミングが何時かによって分けるものであり、「第１タイミング」は、操作ハンドル１０を回転させて好みの位置になったときに操作ハンドル１０固定のために抵抗力調整装置４０が働く場合をいい、「第２タイミング」は、操作ハンドル１０に従来の操作ハンドルとは別の抵抗力をほぼ常時発生させるようにしておいて、操作ハンドル１０を原位置に復帰させるタイミング、すなわち、遊技者が操作ハンドル１０から手を離した後の一定期間に限って抵抗力が無くなるようにした場合をいう。
【００８８】
（実施例１）
図１及び図２には、本発明の対象である発射ハンドル装置１００が採用されるパチンコ遊技機の本体２００が正面図及び斜視図として示してあるが、この本体２００には、図示しない遊技盤や各種制御装置等が組み付けられるものである。この本体２００の図示右下正面部分には本発明に係る発射ハンドル装置１００が取り付けてあり、この発射ハンドル装置１００を構成している操作ハンドル１０は、図２に示したように、遊技者が操作し易くなるようにするために、当該パチンコ遊技機の前面側に突出するものとしてある。
【００８９】
本発明に係る発射ハンドル装置１００は、図３〜図１０に示したように、一個の独立した部品として形成したもので、後述する操作量検出装置２０、抵抗力調整装置４０、及び抵抗力増幅機５０を収納した筒状部３０を有しており、この筒状部３０の先端部外周には、パチンコ遊技機の前方に突出する操作ハンドル１０が回転可能に組み付けてある。そして、この発射ハンドル装置１００は、図１、図３、図５、及び図６に示したように、指置き部材６０を備えているのである。
【００９０】
操作ハンドル１０は、図１〜図１０に示したように、後述する筒状部３０に回転可能に取り付けたものであり、具体的には、図９〜図１７に示したように、筒状部３０内に収納されるブレーキ部材１３と一体的なハンドル軸１２の先端に固定されるものである。勿論、この操作ハンドル１０は、遊技者が握りやすい大きさと形状を有したものであって、所謂「タッチスイッチ」としての機能をも有するものである。そして、この操作ハンドル１０は、遊技者がこれから手を離して回動を中止すれば、図示しない公知のバネ手段等によって、常に原位置に復帰回転すべく付勢されているものである。なお、この操作ハンドル１０の近傍には、図４及び図５に示したように、ストップボタン１１が取り付けられることがあり、このストップボタン１１は、タッチスイッチとしての操作ハンドル１０を回動したままの状態で押したとき、操作ハンドル１０のタッチスイッチ機能を停止させるもの
である。
【００９１】
操作ハンドル１０が取り付けられるハンドル軸１２は、図９〜図１７に示したように、後述する抵抗力調整装置４０の抵抗力調整部４２が当接することになるブレーキ部材１３と一体化したもので、さらに、このブレーキ部材１３の内側には、図１４及び図１５に示したように、回転量伝達歯車１４が一体的に設けてある。つまり、この回転量伝達歯車１４は、操作ハンドル１０と一体的に回転するものであり、操作ハンドル１０の回転量を検出ギア２２を介して操作量検出装置２０に伝達するものである。
【００９２】
なお、操作ハンドル１０には、ハンドル軸１２を反時計回り方向に回転させる付勢力を発生させるバネが設けられている。バネはハンドル軸１２の回転中心を軸として巻回されたねじりバネで構成されているが、従来と同一の構成であるため、図示および詳細な説明を省略する。このバネは必ずしもハンドル軸１２に直接付勢力を付与するように取り付ける必要はなく、検出ギア２２に取り付けたり、検出ギア２２に噛み合わされる他のギアに付勢力を付与するように取り付けて間接的にハンドル軸１２に付勢力を生じさせても良いし、操作ハンドル１０に直接付勢力を付与するように取り付けても良い。
【００９３】
また、この実施例１における操作ハンドル１０の背面側には、図７にて示したように、指置き連動部１５が一体的に形成してある。この指置き連動部１５は、当該操作ハンドル１０が回転されたとき、指置き部材６０の一部に係合するものであり、操作ハンドル１０の回転に連動して当該指置き部材６０を回転させるものである。
【００９４】
操作量検出装置２０は、上記検出ギア２２と、この検出ギア２２の回転量を検出する検出部２１とからなっているものである。この検出部２１は、所謂ボリュームと呼ばれるものであり、操作ハンドル１０つまりハンドル軸１２の回転量を検出して、図示しない打球装置における打球強度を調整するための信号を打球装置に送るものである。
【００９５】
筒状部３０は、例えば図５に示したように、前述した操作ハンドル１０側のブレーキ部材１３を回転自在に収納するハンドル取付部３１をその先端部分に有するものであり、後端部に、複数の本体取付穴３２及び位置決めピン３７を有している。そして、この筒状部３０は、図８または図１０に示したように、その後端部を本体２００の前面に形成した挿入凹所２１０内に収納するか（図８の場合）、あるいは本体２００の前面に直接当接させて（図１０の場合）、本体取付穴３２に螺合される取付ネジ３２ａ等を使用して本体２００に取り付けるようにしたものである。
【００９６】
以上のようにして本体２００に取り付けられた本発明に係る発射ハンドル装置１００においては、その筒状部３０が本体２００に対して回転しないのであるが、この筒状部３０に対して操作ハンドル１０は遊技者の回転操作によって回転し、遊技者が操作ハンドル１０から手を離せば原位置に自動的に復帰回転するものである。なお、図１〜図６に示したように、筒状部３０の先端部にはフェイスカバー３３が取り付けてあり、このフェイスカバー３３によって筒状部３０内の各部品を覆うようにしている。
【００９７】
さて、筒状部３０内には、上述したように、操作ハンドル１０のためのブレーキ部材１３や回転量伝達歯車１４、操作量検出装置２０、抵抗力調整装置４０、そして抵抗力増幅機５０が組み込んであるが、これらの部品の組込は、図１１〜図１７に示したようにしてある。これらの図１１〜図１７では、筒状部３０そのものは示しておらず、筒状部３０内に組み込まれるべき各部品を組み立てた状態が示してあるが、換言すれば、これら図１１〜図１７に示した状態の各部品をそのまま筒状部３０内に収納して固定するのである。
【００９８】
これら図１１〜図１７に示した状態の各部品を筒状部３０内に収納して固定するにあた
っては、例えばハンドル軸１２のブレーキ部材１３とは反対側に突出する中心軸１０ａを筒状部３０側に回転可能に支持したり、後述する駆動源４１のケースを筒状部３０内に固定したり、後述する枢軸５４を筒状部３０側の所定位置に枢支したりすることになる。
【００９９】
そして、これら各部品の図１１〜図１７に示した一体化状態にあっては、操作ハンドル１０が取り付けられるハンドル軸１２の先であって、一体化されたものの図１０〜図１３に示した図示上端に位置する部分には駆動源４１が配置されていて、操作ハンドル１０と駆動源４１の中心を結ぶ線は筒状部３０の軸心方向に沿ったものとしてある。また、操作量検出装置２０を構成する検出部２１のための検出ギア２２の軸心も筒状部３０の軸心方向に沿ったものとしてある。換言すれば、後述する抵抗力調整装置４０と上記操作量検出装置２０とは、筒状部３０の軸心方向に沿って前後に位置しているのであり、筒状部３０に組み付けるべき操作ハンドル１０の大きさに制限を与えることがない状態になっているのである。
【０１００】
さて、抵抗力調整装置４０は、図１４〜図１７に示したように、操作ハンドル１０と一体回転するブレーキ部材１３に対して進退する抵抗力調整部４２と、この抵抗力調整部４２を駆動する駆動源４１と、これら抵抗力調整部４２と駆動源４１との連動を補助する抵抗力増幅機５０とを備えている。駆動源４１は、本最良形態に係る発射ハンドル装置１００の場合、図１４に示した連結ピン４３を図示矢印方向に往復動させるソレノイドを採用しているが、抵抗力増幅機５０等を介して抵抗力調整部４２をブレーキ部材１３側に対して進退させることができるのであれば、当該駆動源４１はステッピングモータのような段階回転を行うものであってもよい。
【０１０１】
ここで、抵抗力調整装置４０による抵抗力付与は、上述したように、第１タイミングまたは第２タイミングで行われるものである。「第１タイミング」では、遊技者が操作ハンドル１０を回転させて好みの位置にしたときに、内蔵したタイマーからの信号、遊技者が操作するスイッチ等からの信号、あるいは遊技盤面上の入賞口にパチンコ球が入賞たことを検知するスイッチからの信号等によって、抵抗力調整装置４０は操作ハンドル１０固定のために働く。
【０１０２】
一方、「第２タイミング」では、操作ハンドル１０に従来の操作ハンドルとは別の抵抗力をほぼ常時発生させるようにしておいて、操作ハンドル１０を原位置に復帰させるタイミング、例えば、遊技者が操作ハンドル１０から手を離した後の一定期間に限って抵抗力が無くなるように、当該抵抗力調整装置４０は働くものである。
【０１０３】
さて、抵抗力調整装置４０が上記第１のタイミングで働くように設定されている場合には、抵抗力調整部４２は、駆動源４１の駆動によってブレーキ部材１３の一部に当接して、このブレーキ部材１３の回転を制動または阻止するものである。ブレーキ部材１３の回転に制動を与えたり阻止したりするということは、このブレーキ部材１３と一体的な操作ハンドル１０の回転を制動したり阻止したりすることを意味し、操作ハンドル１０をその回転した位置で固定することも意味するのである。
【０１０４】
もう少し具体的に述べると、抵抗力調整装置４０が上記第１のタイミングで働くように設定されている場合には、パチンコ遊技者が操作ハンドル１０を回転させて、操作量検出装置２０によりパチンコ球の好みの打球強度が選択できたとき、抵抗力調整部４２がブレーキ部材１３に当接し、操作ハンドル１０のそれ以上の回転と、復帰回転が阻止されるのである。ということは、遊技者にとってみれば、操作ハンドル１０を回転させて好みの打球強度が得られたときには、操作ハンドル１０自体の復帰回転力に抗した力や、操作ハンドル１０をその位置に保持するための力を操作ハンドル１０に掛けなくても、抵抗力調整部４２のブレーキ部材１３に対する当接によって操作ハンドル１０を好みの位置で保持で
きる、ということになり、操作ハンドル１０のタッチスイッチとしての機能を発揮させるだけの操作、例えば操作ハンドル１０に人差し指を当てるだけで、パチンコ遊技を楽しむことができるのである。
【０１０５】
一方、抵抗力調整装置４０が上記第２のタイミングで働くように設定されている場合には、抵抗力調整部４２は、駆動源４１の駆動によらなくても（具体的には、後述するスプリング５３を圧縮スプリングとすることによって）ブレーキ部材１３の一部に当接するのであり、ほぼ常時、このブレーキ部材１３の回転を制動または阻止するものである。逆に言えば、駆動源４１による駆動は、抵抗力調整部４２がブレーキ部材１３から離れて抵抗力を無くすように働くのであり、このブレーキ部材１３と一体的な操作ハンドル１０の原位置への復帰回転を許容することも意味するのである。
【０１０６】
もう少し具体的に述べると、抵抗力調整装置４０が上記第２のタイミングで働くように設定されているとき、パチンコ遊技者が操作ハンドル１０を回転させる場合や、これによって好みの位置にしてパチンコ遊技を行ってい場合には、抵抗力調整部４２をブレーキ部材１３に当接させていて、停止された操作ハンドル１０のそれ以上の回転と、復帰回転が阻止されるのである。ということは、遊技者にとってみれば、操作ハンドル１０を回転させて好みの打球強度が得られたときには、操作ハンドル１０自体の復帰回転力に抗した力や、操作ハンドル１０をその位置に保持するための力を操作ハンドル１０に掛けなくても、抵抗力調整部４２のブレーキ部材１３に対する当接によって操作ハンドル１０を好みの位置で保持できる、ということになり、操作ハンドル１０のタッチスイッチとしての機能を発揮させるだけの操作、例えば操作ハンドル１０に人差し指を当てるだけで、パチンコ遊技を楽しむことができるのである。
【０１０７】
本最良形態の抵抗力調整部４２の、ブレーキ部材１３との当接面には弾性体４２ａが配置してある。この弾性体４２ａは、例えば合成ゴム等のゴムや樹脂によって形成したものであり、抵抗力調整部４２がブレーキ部材１３に当接したときの衝撃を和らげるものである。
【０１０８】
換言すれば、本最良形態の発射ハンドル装置１００では、抵抗力調整装置４０によって抵抗力調整部４２が急激にブレーキ部材１３に当接したとしても、その際の衝撃が弾性体４２ａによって吸収されるため、操作ハンドル１０を握っているパチンコの遊技者に違和感を与えることがないだけでなく、抵抗力調整装置４０及び次に述べる抵抗力増幅機構５０の各部が保護されることにもなるのである。
【０１０９】
本最良形態では、この抵抗力調整部４２は、図１４〜図１７に示したような連動部材４４の先端に一体化してあり、この連動部材４４の進退運動によって、当該抵抗力調整部４２はブレーキ部材１３に対して進退することになる。この連動部材４４の進退運動は、次に述べる抵抗力増幅機５０によってなされるものである。
【０１１０】
抵抗力増幅機５０は、図１４〜図１７に示したように、平面視Ｌ字状の揺動アーム５１を有していて、この揺動アーム５１は、その角部に設けた枢軸５４を中心に、図１４中の矢印にて示したような揺動を行うものである。この揺動アーム５１は、その枢軸５４により筒状部３０内の適宜箇所に枢支されるものであり、一端にて駆動源４１の駆動力によって進退する連結ピン４３に係合していて、他端の連結ピン５２によって抵抗力調整装置４０側の連動部材４４に係合している。
【０１１１】
換言すれば、この揺動アーム５１は、駆動源４１の進退運動を連動部材４４の進退運動に変換するものであるが、その際に、駆動源４１の進退運動力を増幅して連動部材４４の進退運動力に変換している。何故なら、例えば図１４に示したように、この揺動アーム５
１の、枢軸５４から連結ピン４３までの第１アームの長さを、枢軸５４から連結ピン５２までの第２アームの長さよりも大きくしてあるから、駆動源４１の進退運動力は増幅されて連動部材４４の進退運動に伝達されるのである。
【０１１２】
以上の揺動アーム５１による増幅機能によって、駆動源４１の進退方向を筒状部３０の軸心方向に直交する方向とし、連動部材４４の進退方向を筒状部３０の軸心方向にすることもできるから、駆動源４１としては小型のものを採用できるだけでなく、小型の駆動源４１であっても連動部材４４の進退を大きな力でしかも比較的小さいスパンで行うことができるのである。換言すれば、本発明に係る発射ハンドル装置１００では、抵抗力増幅機５０の存在によって、筒状部３０の長さと直径をそれ程大きくする必要がないのであり、結果として、操作ハンドル１０の大きさも小さくすることができるのである。
【０１１３】
スプリング５３は、抵抗力調整装置４０が前述した第１のタイミングで働くように設定されている場合には、抵抗力調整部４２をハンドル軸１２から常時引き離す方向に付勢力を発生させるものであって、所謂引っ張りスプリングとして構成してある。この場合、駆動源４１としてのソレノイドは、これに電力が供給されたとき、スプリング５３の引っ張り力に抗してスプリング５３を伸ばすように作用し、抵抗力調整部４２とブレーキ部材１３とを当接状態にして、操作ハンドル１０の回動を阻止する。
【０１１４】
一方、スプリング５３は、抵抗力調整装置４０が前述した第２のタイミングで働くように設定されている場合には、抵抗力調整部４２をハンドル軸１２に常時押圧する方向に付勢力を発生させるものであり、所謂押圧スプリングとして構成したものである。この場合、駆動源４１としてのソレノイドは、これに電力が供給されたとき、スプリング５３の付勢力に抗してスプリング５３を縮め、抵抗力調整部４２とブレーキ部材１３との当接状態を解除するように働く。
【０１１５】
駆動源４１の駆動は、上記第１のタイミングの場合も第２のタイミングの場合も、遊技者の手が操作ハンドル１０に触れた場合にオンオフが切り替わるタッチスイッチのオンオフ動作に対応して行われる。遊技者が操作ハンドル１０に触れる前には駆動源４１は非駆動状態であり、遊技者が操作ハンドル１０に触れている最中においても駆動源４１は非駆動状態であって、遊技者が操作ハンドル１０から手を離すことに起因して駆動源４１が通電されて駆動される。その後、数秒間（例えば、３秒）の時間通電状態が維持され、その後、非通電状態となる。この時間は操作ハンドル１０から遊技者が手を離してから操作ハンドル１０が内蔵されるバネにより原位置に復帰するのに十分な時間となっていれば良く、上記時間に限定されるものでない。
【０１１６】
また、操作ハンドル１０が原位置に復帰されたことが操作量検出装置２０の検出によって確認できたことを条件として駆動源４１を非通電とするなど、操作量検出装置２０の検出に応じて駆動源の通電状態を制御しても良い。更に、駆動源４１が通電されるタイミングは、必ずしもタッチスイッチのオンオフの直後である必要は無く、タッチスイッチから手を離した後の一定時間の経過後としても良い。
【０１１７】
さらに、液晶表示装置等によって図柄が変動するパチンコ機において図柄変動や始動口への入賞に対する図柄変動の保留数に対応して駆動源４１が通電される構成としても良く、例えば、図柄が停止した後、一定時間経過後に駆動源４１が通電される構成としても良い。この場合には図柄の変動が開始される始動口に球が十分に入っていて始動口への入賞が図柄の変動条件とはならない保留満タン状態において無駄な球消費を抑制するために遊技者が操作ハンドル１０から手を離しても操作ハンドル１０が原位置に復帰しないので、その後に遊技者が操作ハンドル１０に手を触れるだけで、手を離す以前の発射力で遊技を継続することができる。
【０１１８】
操作ハンドル１０が以上のようなタッチスイッチではない場合には、パチンコ遊技機なら一般的に採用されている操作量検出装置２０の特に検出部２１からの信号を利用して、駆動源４１の駆動制御を行うようにしてもよいし、操作ハンドル１０と筒状部３０側のハンドル取付部３１との間に別に設けたスイッチを使用するように実施してもよい。
【０１１９】
さて、本発明における重要構成部材である指置き部材６０は、図１、図３、図５、及び図６に示したように、筒状部３０を構成しているハンドル取付部３１の裏側に形成した移動凹所３１ａ内に配置されているもので、移動凹所３１ａ内にて当該筒状部３０の外周に沿って移動可能にしたものである。ハンドル取付部３１裏面の移動凹所３１ａ内には、図５の（ａ）及び図６に示したように、円弧状の案内レール３４が形成してあり、この案内レール３４上に当該指置き部材６０が組み付けてある。
【０１２０】
本実施例１における指置き部材６０は、図５の（ｂ）に示したように、案内レール３４を挟み込む第１部材６０ａ及び第２部材６０ｂからなっており、これらの第１部材６０ａ及び第２部材６０ｂは、これらによって案内レール３４を挟み込んだ後にネジ６４によって一体化されるものである。なお、案内レール３４の先端には、抜け止め３４ａが一体的に形成してあり、この抜け止め３４ａは、第１部材６０ａまたは第２部材６０ｂの内面に形成した止め溝内に係合して、当該指置き部材６０の抜け止めを確実にするものである。勿論、この抜け止め３４ａは、当該指置き部材６０の案内レール３４上での移動を阻害するものではない。
【０１２１】
上記の案内レール３４を挟み込んだ第１部材６０ａ及び第２部材６０ｂを固定するためのネジ６４は、案内レール３４と、これを挟み込んだ第１部材６０ａ及び第２部材６０ｂとの間の抵抗力調整手段とすることができるものである。つまり、このネジ６４は、これによる締着力を適宜調整することにより、第１部材６０ａ及び第２部材６０ｂと、案内レール３４との間の抵抗力を調整することができるのである。このネジ６４による締着力の調整は工場出荷時において行えれば十分であるが、ネジ６４の回動を遊技者自身が行えるようにして実施してもよい。
【０１２２】
勿論、本実施例１における案内レール３４の表面、またはこれを挟み込む第１部材６０ａまたは第２部材６０ｂの内面に、案内レール３４と当該指置き部材６０」との間に合成ゴム等の弾性材を設けておいて、この弾性材によって、当該指置き部材６０の案内レール３４に対する移動はできるが、力を加えない限りその移動位置での固定ができる程度の摩擦力を発生させるようにしてもよい。また、このような機械的摩擦力に変えて、電力によって発生される磁力が抵抗力となるように実施してもよい。
【０１２３】
なお、指置き部材６０は、案内部を筒状部３０とは別に形成しておいて、この案内部を挟み込むようにして取り付けるようにして実施してもよいものである。この案内部は、操作ハンドル１０より奥側に設けても、また操作ハンドル１０より手前側に設けて実施してもよい。指置き部材６０を、操作ハンドル１０より手前側に設けた案内部に組み付けた場合には、先端が他の指よりも手前側にある「親指」を当該指置き部材６０に置いたとき、遊技者の手を自然な状態にすることができて、遊技中の姿勢をより安楽なものとすることができる。
【０１２４】
（実施例２）
図１８〜図３５に示した実施例２に係る発射ハンドル装置１００も、上述した実施例１のそれと同様に、一個の独立した部品として形成したもので、上述した操作量検出装置２０、抵抗力調整装置４０、及び抵抗力増幅機５０を収納した筒状部３０を有したものである。勿論、この実施例２における筒状部３０の先端部外周には、パチンコ遊技機の前方に
突出する操作ハンドル１０が回転可能に組み付けてある。そして、この実施例２に係る発射ハンドル装置１００も、図１８等に示したように、指置き部材６０を備えている。
【０１２５】
この実施例２に係る発射ハンドル装置１００の、実施例１に係るそれと異なる点は、主に、上記指置き部材６０が筒状部３０内に延びる取付アーム部６１を有していること、この指置き部材６０に上記抵抗力調整装置４０の抵抗力調整部４２が当接するか（第１のタイミングの場合）、引き離すようにして（第２のタイミングの場合）、操作ハンドル１０の原位置への復帰力に対する抵抗力の発生調整を行うようにしていることである。これらの異なる点に関連しない部分あるいは部材は、上述した実施例１のそれと同様であるので、図１８〜図３５中に、実施例１で使用したのと同じ符号を付すことによって、その詳細な説明は省略することとする。
【０１２６】
さて、この実施例２における指置き部材６０は、図１８に示したように、筒状部３０を構成しているハンドル取付部３１の裏面に形成してある移動凹所３１ａ内に収納されるものであるが、この移動凹所３１ａ内に形成されてハンドル取付部３１の裏面と一体的な案内レール３４及び係合部３４ａに組み付けられるものである。なお、案内レール３４及び係合部３４ａは、ハンドル取付部３１の外周円弧に沿った円弧状のものであるが、両者は互いに直交する板状物として形成してある。
【０１２７】
一方、指置き部材６０には、特に図１８に示したように、上記案内レール３４に係合する案内溝６３と、係合部３４ａに係合する係合部６２が形成してあり、この指置き部材６０の、係合部６２に対して案内溝６３とは反対側部分には、後述する取付アーム部６１が一体的に形成してある。従って、この指置き部材６０は、ハンドル取付部３１の裏面に形成した上記案内レール３４及び係合部３４ａに沿って、移動凹所３１ａ内を限度とする円弧上にて移動可能になっているのである。
【０１２８】
さらに、この指置き部材６０の取付アーム部６１は、図２０、図２６、及び図２８〜図３６に示したように、筒状部３０の内部に延在し得るようにしてあり、本実施例２では、この取付アーム部６１の内端部を操作ハンドル１０のためのハンドル軸１２に固定的に止めてある。つまり、この実施例２の指置き部材６０は、操作ハンドル１０と一体的に回転するものとなっているのである。
【０１２９】
なお、この指置き部材６０の一部あるいは取付アーム６１に、当該指置き部材６０が操作ハンドル１０と同じ原位置に復帰するようにするスプリングを設けるようにして実施してもよい。このようにした場合には、駆動源４１の作動による操作ハンドル１０の原位置への復帰に際して、上記スプリングの作用によって、指置き部材６０も原位置に復帰回転することになる。
【０１３０】
そして、この実施例２では、指置き部材６０が有している取付アーム部６１の、操作ハンドル１０とは反対側になる背部に、図２８〜図３５に示したように、抵抗力調整装置４０側の抵抗力調整部４２が配置してある。この抵抗力調整部４２は、抵抗力調整装置４０及び抵抗力増幅機構５０の作動によって、取付アーム部６１の、操作ハンドル１０とは反対側になる背部に当接されるものであり、例えば図３２に示したように、当該取付アーム部６１の幅より大きく広がる扇形に形成してある。
【０１３１】
この抵抗力調整部４２を扇形にしてあるのは、指置き部材６０は円弧状の案内レール３４等の上を移動されるものであり、この移動に伴って取付アーム部６１も移動するものであるから、取付アーム部６１が何処に移動しても、当該抵抗力調整部４２による抵抗力発生ができるようにするためである。勿論、この抵抗力調整部４２の取付アーム部６１側面には、特に図３２に示したように、上記実施例１で述べたと同様な弾性材４２ａが一体化
してあり、この弾性材４２ａの取付アーム部６１側面に弾性材としての機能をより発揮させるための線状突条が形成してある。
【０１３２】
以上のように構成した取付アーム部６１を有する指置き部材６０では、図２８、図３０、及び図３１の各（ａ）にて示したように、これを筒状部３０の案内レール３４等の上を自由に移動させることができることは当然として、図２８、図３０、及び図３１の各（ｂ）にて示したように、抵抗力調整装置４０や抵抗力増幅機構５０が作動してその抵抗力調整部４２あるは弾性材４２ａが取付アーム部６１に当接したときには、取付アーム部６１従って指置き部材６０や、この指置き部材６０とハンドル軸１２を介して一体的になっている操作ハンドル１０が、その移動位置にて固定されることになるのである。
【０１３３】
次に、上記実施の形態に含まれる遊技機の発明、および、該遊技機の発明に含まれる他の実施形態について説明する。
遊技者によって操作可能であって、操作がされないときは原位置に配置される操作部と、該操作部の操作量に応じて発射強度を調整して遊技球を発射する発射装置とを備えた遊技機であって、
操作部が原位置側に復帰しないように抵抗力を発生させる抵抗力発生手段と、
通電状態と非通電状態とが切り替わる部材であって非通電状態から通電状態に切り替わることによって前記操作部を前記原位置復帰させる駆動源を有する通電復帰手段とを備えていることを特徴とする遊技機１。
【０１３４】
通電によって操作ハンドルを一定位置に保持する構成の発射ハンドル装置等においては、遊技者が長時間遊技を継続した場合に、ハンドルを一定位置に保持し続けることとなって電力が消費されて電力消費量が高まったり、通電によりハンドルが熱を帯びて操作がしづらくなったりするなどの問題がある。遊技機１によれば、短時間の通電状態であっても操作ハンドルの操作性を向上させることができる発射ハンドル装置を備えた遊技機を提供することができる。
【０１３５】
なお、遊技機１は、上記実施形態における駆動源としてのソレノイドの位置に駆動源が必ずしも配置される必要はなく、筒状部内でなく操作ハンドル内に駆動源が設けられるものであっても良い。
【０１３６】
通電復帰手段としては、上記実施の形態に示すクラッチ構造以外に、摩擦でなく磁力を利用して抵抗力を発生させるもの、例えば、上記実施形態において抵抗力を発生させた接触部分に磁石を設けて該磁石部分を移動して抵抗力を切り替えるものであっても良い。また、上記実施形態のクラッチ構造に代えて、発射ハンドルを回動させるモータをギアを介して設けて、遊技者がハンドルから手を離した非操作中においてモータに通電してハンドルが原位置に動作する側に駆動させることによってハンドルを原位置に復帰させる構成としても良い。
【０１３７】
また、発射装置としては、上記実施形態のように、遊技球を打撃して発射する場合であっても良いし、上記実施形態とは別に遊技球を押し出して遊技球を発射する構成としても良い。
【０１３８】
また、操作部としては、上記実施形態のように回転動作するハンドルを遊技者が操作することによって遊技球が発射される構成であっても良く、左右等にスライド操作される操作レバーによって遊技球が発射される構成としても良い。
【０１３９】
また、上記した操作量検出装置は必ずしも設けられる必要はなく、操作ハンドルに機械的に連動するバネの伸び量を操作ハンドルの操作量に応じて変化させることによって打撃
力を調整する等、機械的に操作量に応じて発射力を調整するものであっても良い。
【産業上の利用可能性】
【０１４０】
以上のように、本発明に係る発射ハンドル装置１００は、一個の独立した部品にしたものであるから、パチンコ遊技機の本体２００とは別に製造することができるのであり、例えばこの発射ハンドル装置１００を部品メーカーに委託して製造することによってパチンコ遊技機メーカー自体の負担を軽減し、かつ部品メーカーの業務増大を図って部品メーカーを発展させることもできるのである。
【０１４１】
また、一個の独立した部品である発射ハンドル装置１００は、その本体２００に対する取付が容易であるだけでなく、本体２００からの取り外しも容易であるから、仮に当該発射ハンドル装置１００が故障した場合には、パチンコ遊技機が設置してあるパチンコホール側での発射ハンドル装置１００の交換を簡単に行えるのである。
【０１４２】
さらに、現在採用されている一般的な発射ハンドル装置では、コイン等のような固い物を使用して遊技者が操作ハンドルの固定を行うことがあり、これによって操作ハンドル自体が破損してしまってパチンコ遊技機が短期間内に使用できなくなってしまうことがある。これに対して、本発明に係る発射ハンドル装置１００を採用すれば、操作ハンドル１０をコイン等によって傷めることがなくなるから、パチンコ遊技機を早期に交換する必要がなくなり、パチンコ遊技機を設置しているパチンコホールの負担を大きく軽減することもできるのである。
【符号の説明】
【０１４３】
１００    発射ハンドル装置
１０    操作ハンドル
１０ａ  中心軸
１１    ストップボタン
１２    ハンドル軸
１３    ブレーキ部材
１４    回転量伝達歯車
１５    指置き連動部材
２０    操作量検出装置
２１    検出部
２２    検出ギア
３０    筒状部
３１    ハンドル取付部
３１ａ  移動凹所
３２    本体取付穴
３２ａ  取付ネジ
３３    フェイスカバー
３４    案内レール
３４ａ  係合部
３７    位置決めピン
４０    抵抗力調整装置
４１    駆動源
４２    抵抗力調整部
４２ａ  弾性体
４３    連結ピン
４４    連動部材
５０    抵抗力増幅機
５１    揺動アーム
５２    連結ピン
５３    スプリング
５４    枢軸
６０    指置き
６０ａ  第１部材
６０ｂ  第２部材
６１    取付アーム部
６２    係合部
６３    案内溝
６４    ネジ
２００    本体
２１０    挿入凹所
【図１】
2020179310.tif 000003
【図２】
2020179310.tif 000004
【図３】
2020179310.tif 000005
【図４】
2020179310.tif 000006
【図５】
2020179310.tif 000007
【図６】
2020179310.tif 000008
【図７】
2020179310.tif 000009
【図８】
2020179310.tif 000010
【図９】
2020179310.tif 000011
【図１０】
2020179310.tif 000012
【図１１】
2020179310.tif 000013
【図１２】
2020179310.tif 000014
【図１３】
2020179310.tif 000015
【図１４】
2020179310.tif 000016
【図１５】
2020179310.tif 000017
【図１６】
2020179310.tif 000018
【図１７】
2020179310.tif 000019
【図１８】
2020179310.tif 000020
【図１９】
2020179310.tif 000021
【図２０】
2020179310.tif 000022
【図２１】
2020179310.tif 000023
【図２２】
2020179310.tif 000024
【図２３】
2020179310.tif 000025
【図２４】
2020179310.tif 000026
【図２５】
2020179310.tif 000027
【図２６】
2020179310.tif 000028
【図２７】
2020179310.tif 000029
【図２８】
2020179310.tif 000030
【図２９】
2020179310.tif 000031
【図３０】
2020179310.tif 000032
【図３１】
2020179310.tif 000033
【図３２】
2020179310.tif 000034
【図３３】
2020179310.tif 000035
【図３４】
2020179310.tif 000036
【図３５】
2020179310.tif 000037